(57)【要約】【課題】１枚のカードを利便性高く使用できるようにすることを目的とする。【解決手段】書込器により記憶領域の未使用領域９に第１のカード情報１０を書き込み可能に構成しているので、１つのカードシステムに対応するカードの未使用領域９に、他のカードシステムに対応するカードのカード情報１０を書き込み、使用可能なカードであることを認証し、認証できたカードを使用することができるので、複数のカードシステムに対応して利便性の高い１枚のカードを使用できるようにすることが可能となる。【選択図】図３
2016189042.tif 000002
【特許請求の範囲】
【請求項１】
あらかじめ第１のカード情報が記憶されたカードの記憶領域に記憶された記憶情報を読み取る読取器と、
前記記憶領域に第２のカード情報を書き込む書込器と、
前記読取器が読み取った前記記憶情報により前記書込器を制御する制御器と
を備え、
前記第２のカード情報は、少なくとも金額情報を含み、前記書込器により第２のカード情報を書き込む箇所が、前記記憶領域の未使用領域であることを特徴とするカード発行機。
【請求項２】
前記記憶領域の未使用領域についての情報を保持していることを特徴とする請求項１に記載のカード発行機。
【請求項３】
前記記憶領域の未使用領域を検索可能に構成していることを特徴とする請求項１または請求項２に記載のカード発行機。
【請求項４】
予め登録された記憶領域に対して入出力できない場合に、他の未使用領域に前記第２のカード情報を書き込むことを特徴とする請求項１〜請求項３のいずれか１項に記載のカード発行機。
【請求項５】
外部から前記カード情報の少なくとも一部を入力情報として入力する入力器を備え、
前記入力情報として個人情報を含み、前記第２のカード情報は前記個人情報をさらに備えることを特徴とする請求項１〜請求項４のいずれか１項に記載のカード発行機。
【請求項６】
請求項１〜請求項５のいずれか１項に記載のカード発行機と、
前記第２のカード情報が書き込まれた前記カードを使用できる１または複数のカード利用機器と
から構成され、
前記カード利用機器は、
前記カードの前記第２のカード情報を読み出す読出器と、
前記第２のカード情報を認証して前記カードの使用を許可する認証器と
を有することを特徴とするカード購入システム。
【請求項７】
前記カード発行機と前記カード利用機器とが互いにネットワークで接続されており、
前記カード発行機は、前記カードに対して第２のカード情報を書き込んだ記憶領域の書き込み領域情報を前記ネットワークを介して前記カード利用機器に送信し、
前記カード利用機器は、前記書き込み領域情報を記憶し、
前記カード利用機器は、前記書き込み領域情報に基づいて前記カードの記憶領域にアクセスすることを特徴とする請求項６記載のカード購入システム。
【請求項８】
前記カード発行機と前記カード利用機器とが互いにネットワークで接続されており、
前記カード発行機は、前記カードのカードＩＤと前記カードに対して第２のカード情報を書き込んだ記憶領域の書き込み領域情報とを関連付けたカード書き込み情報を前記ネットワークを介して前記カード利用機器に送信し、
前記カード利用機器は、前記カード書き込み情報を記憶し、
前記カード利用機器は、記カードのカードＩＤを読み出し、前記カード書き込み情報に基づいて前記カードの記憶領域にアクセスする
ことを特徴とする請求項６記載のカード購入システム。
【請求項９】
第１のカード情報に基づいて使用されているカードに、前記第１のカード情報が準拠するカードシステムと異なるカードシステムに準拠する第２のカード情報を記憶させたカードを使用する方法であって、
前記第１のカード情報が記憶されたカードの未使用領域に前記第２のカード情報を書き込む工程と、
前記カードを使用するカード利用機器にて前記第２のカード情報を読み出す工程と、
前記カード利用機器が前記第２のカード情報を認証して前記カードの使用を許可する工程と
を有することを特徴とするカードの使用方法。
【発明の詳細な説明】
【技術分野】
【０００１】
本発明は、プリペイドカード等の金銭に換えて商品を購入できるカードを発行するカード発行機と、それを用いて商品を購入できるカード購入システム等に関する。
【背景技術】
【０００２】
一定の金額情報が記憶され、特定のカード認識装置が設置された店舗や自動販売機等で、金銭の代わりに商品の購入に用いることができる電子マネーやプリペイドカード等のカード（以下、プリペイドカードと総称する）が使用されている。プリペイドカードは、磁気記憶装置やＩＣチップ等の記憶装置を備え、記憶装置には使用できる自動販売機等を認識するためのキーコードや使用可能な金額情報等が記憶されている。自動販売機等は、カード認識装置により、プリペイドカードのキーコードを読み出し、その自動販売機等で使用できるプリペイドカードであるか否かを判別する。使用できるプリペイドカードであるか否かを判別すると、自動販売機等は金額情報を読み出し、その金額の範囲で商品を販売する。
【先行技術文献】
【特許文献】
【０００３】
【特許文献１】特開平６−２３１３４３号公報
【発明の概要】
【発明が解決しようとする課題】
【０００４】
しかしながら、従来のプリペイドカードは、特定のカードシステムと１対１で対応しており、１つのプリペイドカードには１種類のカードシステムの情報しか設定することができなかった。例えば、ある種の自動販売機は、あるメーカのプリペイドカードを使用することはできるが、他のメーカのプリペイドカードを使用することはできなかった。そのため、１枚のプリペイドカードで使用できる自動販売機等は対応するカード認識装置を備えるカードシステムに限定され、様々な自動販売機等のカード利用機器を用いて商品を購入する場合、複数枚のプリペイドカードを所持する必要があり、利便性が悪くなっていた。
【０００５】
また、同じプリペイドカードでも使用する場所によっては、場所に対応するデータがプリペイドカードに書き込まれており、そのデータが一致しないために使用できない場合がある。この場合に、使用したい場所でも使えるようにするためには、一度そのプリペイドカードを回収して、内容の変更作業を行わなければならず、そのプリペイドカードの所有者が、回収時には手元にないために前記プリペイドカードを使用することができないという問題があった。
【０００６】
本発明は、上記問題点を解決するために、１枚のカードを利便性高く使用できるようにすることを目的とする。
【課題を解決するための手段】
【０００７】
上記目的を達成するために、本発明のカード発行機は、あらかじめ第１のカード情報が記憶されたカードの記憶領域に記憶された記憶情報を読み取る読取器と、前記記憶領域に第２のカード情報を書き込む書込器と、前記読取器が読み取った前記記憶情報により前記書込器を制御する制御器とを備え、前記第２のカード情報は、少なくとも金額情報を含み、前記書込器により第２のカード情報を書き込む箇所が、前記記憶領域の未使用領域であることを特徴とする。
【０００８】
また、前記記憶領域の未使用領域についての情報を保持していることを特徴とする。
また、前記記憶領域の未使用領域を検索可能に構成していることを特徴とする。
また、予め登録された記憶領域に対して入出力できない場合に、他の未使用領域に前記第２のカード情報を書き込むことを特徴とする。
【０００９】
また、外部から前記カード情報の少なくとも一部を入力情報として入力する入力器を備え、前記入力情報として個人情報を含み、前記第２のカード情報は前記個人情報をさらに備えることを特徴とする。
【００１０】
また、本発明のカード購入システムは、前記カード発行機と、前記第２のカード情報が書き込まれた前記カードを使用できる１または複数のカード利用機器とから構成され、前記カード利用機器は、前記カードの前記第２のカード情報を読み出す読出器と、前記第２のカード情報を認証して前記カードの使用を許可する認証器とを有することを特徴とする。
【００１１】
また、本発明のカード購入システムは、前記カード発行機と前記カード利用機器とが互いにネットワークで接続されており、前記カード発行機は、前記カードに対して第２のカード情報を書き込んだ記憶領域の書き込み領域情報を前記ネットワークを介して前記カード利用機器に送信し、前記カード利用機器は、前記書き込み領域情報を記憶し、前記カード利用機器は、前記書き込み領域情報に基づいて前記カードの記憶領域にアクセスすることを特徴とする。
【００１２】
また、本発明のカード購入システムは、前記カード発行機と前記カード利用機器とが互いにネットワークで接続されており、前記カード発行機は、前記カードのカードＩＤと前記カードに対して第２のカード情報を書き込んだ記憶領域の書き込み領域情報とを関連付けたカード書き込み情報を前記ネットワークを介して前記カード利用機器に送信し、前記カード利用機器は、前記カード書き込み情報を記憶し、前記カード利用機器は、記カードのカードＩＤを読み出し、前記カード書き込み情報に基づいて前記カードの記憶領域にアクセスすることを特徴とする。
【００１３】
また、本発明のカードの使用方法は、第１のカード情報に基づいて使用されているカードに、前記第１のカード情報が準拠するカードシステムと異なるカードシステムに準拠する第２のカード情報を記憶させたカードを使用する方法であって、前記第１のカード情報が記憶されたカードの未使用領域に前記第２のカード情報を書き込む工程と、前記カードを使用するカード利用機器にて前記第２のカード情報を読み出す工程と、前記カード利用機器が前記第２のカード情報を認証して前記カードの使用を許可する工程とを有することを特徴とする。
【発明の効果】
【００１４】
以上のように、本発明のカード発行機によれば、他のカードシステムに対応した第１のカード情報が記憶されたカードに対し、書込器により記憶領域の未使用領域に自身のカードシステムに対応した第２のカード情報を書き込み可能に構成しているので、他のカードシステムに対応するカードを、自身のカードシステムにも対応するカードとして発行できる。よって、複数のカードシステムに対し１枚のカードで対応できるので、カードの利便性を高めることが可能となる。また、当該カード発行機を使用してユーザ自身が第２のカード情報を書き込むことにより、第２のカード情報が利用できるカードシステムでのカードの使用が可能となるので、カードを回収することなく、すぐに使用することができる。
【００１５】
なお、本発明のカード発行機として、前記記憶領域の未使用領域についての情報を保持したり、前記記憶領域の未使用領域を検索可能に構成したりすることにより、前記記憶領域の未使用領域に第２のカード情報を書き込むことができる。
【００１６】
また、予め登録された記憶領域に対して入出力できない場合に、他の未使用領域に前記第２のカード情報を書き込むことにより、他のカードシステムにおいて使用可能な状態を維持しながら、本発明のカード発行機で発行したカードシステムにおいて使用可能となる。
【００１７】
また、外部から前記カード情報の少なくとも一部を入力情報として入力する入力器を備え、前記入力情報として個人情報を含み、前記第２のカード情報は前記個人情報をさらに備えることにより、カードの使用者を把握できて、販売管理や紛失時の対応などを容易に行えるなど個人情報を活用することができる。
【００１８】
また、本発明のカード購入システムは、前記カード発行機と前記カード利用機器とが互いにネットワークで接続されており、前記カード発行機は前記カードに対して第２のカード情報を書き込んだ記憶領域の書き込み領域情報を前記ネットワークを介して前記カード利用機器に送信し、前記カード利用機器は、送信された前記書き込み領域情報を記憶する。これにより、第２のカード情報を記憶させた書き込み領域情報をシステム内で共有することができる。そして、前記カード利用機器は、前記カード利用機器が記憶する前記書き込み領域情報に基づいて前記カードの記憶領域にアクセスすればよく、カード認証を素早く行うことができる。また、前記カードのカードＩＤと前記カードに対して第２のカード情報を書き込んだ記憶領域の書き込み領域情報とを関連付けたカード書き込み情報をカード利用機器が持つことで、カード利用機器は、カードのカードＩＤを読み込んだ時点で、カードの書き込み領域情報を得ることができ、カード認証を素早く行うことができる。
【図面の簡単な説明】
【００１９】
【図１】本発明のカード発行機の構成を示すブロック図である。
【図２】本発明のカード発行機の外形を例示する概略図である。
【図３】本発明のカード発行機におけるカードのデータ構成を説明する図である。
【図４】本発明のカード発行機におけるカード情報を書き込むフローを説明する図である。
【図５】本発明のカード発行機における入力器の構成を例示する概略図である。
【図６】本発明のカード発行機における入力器の構成を例示する概略図である。
【図７】本発明のカード購入システムの構成を例示する概略図である。
【図８】本発明のカード購入システムにおける商品を購入する際にカードを使用するフローを説明する図である。
【発明を実施するための形態】
【００２０】
カードシステムは、特定のカードシステムに準拠し金額情報等が記憶されたプリペイドカード等を用い、当該カードを認証できるカード利用機器で商品を購入したり、サービスに対する対価を支払ったりできるようにしたシステムである。カード利用機器は、カードの記憶領域にアクセスし、そのカードが自身で使用することが許可されたカードであるか否かを判断し、使用することが許可されたカードである場合には、そのカードを使用して購入した商品の支払を行うことを許可する。具体的には、自動販売機，食堂の券売機、食堂や店舗における精算装置，駅の改札機等の、現金に換わりプリペイドカードを用いて支払を行うことができる機器がある。プリペイドカードとしては、カード情報等の情報を記憶するＩＣチップ等を備え、金額情報等の情報を記憶する領域を備えるカードであれば良い。カードは、カード情報の他に、あるいはカード情報の一部として、使用者に関する個人情報や、その他カードの機能に準じた情報が記憶されている場合もある。カード情報としては、少なくともカードＩＤやカードの認証に用いるキーコード等が記憶され、支払いに用いることのできる金額を示す情報や、改札に用いるカードの場合は使用可能な駅の情報等が記憶されている。
【００２１】
このようなプリペイドカード等のカードは、専用のカード発行機により発行される。カード発行機は、カードの記憶領域にカード情報等の必要な情報を記憶することができる。本発明のカード発行機は、他のカードシステムのカード情報やその他の情報が既に記憶されたカードに対し、そのカードの記録領域の未使用領域に別のカードシステムのカード情報を記録することを特徴とする。なお、本発明のカード発行機は、他のカードシステムに対応したカードの記憶領域の未使用領域についての情報を保持したり、未使用領域を検索可能に構成したりする。これにより、カード利用機器に対応するカードシステムに準拠した専用のカードを作成することなく、別の用途に用いられるカードを流用して自身のカード利用機器に対応するカードシステムに準拠したカードとして用いることができる。よって、利便性の高い１枚のカードを作成することが可能となる。
【００２２】
以下、図面を用いて具体例として実施の形態を説明する。なお、以下の説明では、カード利用機器として自動販売機を例とし、カードとしてプリペイドカードを例として説明するが、他のカード利用機器やカードを使用することもできる。
（実施の形態１）
まず、実施の形態としてカード発行機の構成を、図１〜図６を用いて説明する。
【００２３】
図１は本発明のカード発行機の構成を示すブロック図、図２は本発明のカード発行機の外形を例示する概略図、図３は本発明のカード発行機におけるカードのデータ構成を説明する図、図４は本発明のカード発行機におけるカード情報を書き込むフローを説明する図、図５，図６は本発明のカード発行機における入力器の構成を例示する概略図である。
【００２４】
カード発行機１は、プリペイドカード２の記憶領域８に記憶された記憶情報を読み取る読取器３と、プリペイドカード２の記憶領域８に情報を書き込む書込器４と、外部からプリペイドカード２の記憶領域８に書き込む情報を入力する入力器５と、読取器３，書込器４および入力器５と情報を交換すると共にこれらの動作を制御する制御器６とから構成される。読取器３は、プリペイドカード２の記憶情報を読み取って制御器６に送信する。読取器３は、カード挿入口７に挿入されたプリペイドカード７から記憶情報を読み取っても良いし、磁気情報を読み取るカードリーダーであっても良い。制御器６は、カード発行時に、プリペイドカード２の記憶領域８の未使用領域９に新たなカード情報１０を書き込むように書込器４を制御する。また、カードに記憶された金額情報等を更新するときは、プリペイドカード２の記憶情報を読み取るよう読取器３を制御し、更新した情報を書き込むように書込器４を制御する。制御器６はコンピュータ等であり、適宜記憶装置を備える。入力器５は、外部から未使用領域９に書き込むカード情報１０の一部を入力するものである。入力器５は、例えば、タッチパネル１１やキーボード１２、あるいはこれらの両方を用いても良く、その他、様々なデータ入力手段を用いることができる。
【００２５】
例えばプリペイドカード２の記憶領域８には、図３に示すように、あるカードシステムに対応するカード情報１３（第１のカード情報）が記憶されている。記憶領域８には、通常、カード情報１３が記憶されていても、情報が記憶されていない未使用領域９がさらに存在する。本発明のカード発行機１は、この未使用領域９に自身のカードシステムに対応したカード情報１０（第２のカード情報）を書き込む。プリペイドカード２は、記憶領域８の各セクタに情報が記録される。図３の例では、セクタ１〜６にカード情報１３が記憶されており、未使用領域９であるセクタ７以降のうちのセクタ１２〜セクタ１４にカード情報１０を記録している。これにより、プリペイドカード２は、既に記憶されていたカード情報１３に対応するカードシステムと、さらに、新たに記憶するカード情報１０に対応するカードシステムとに用いることができ、１枚のカードを利便性高くしようすることができる。
【００２６】
記憶領域８のセクタ０には、各カード固有のカードＩＤ１４が記憶されている。各セクタにはそのセクタへのアクセスを認証するためのキーコードを記憶する領域と、データを記憶するデータ領域が備えられている。キーコードは例えば６ｂｙｔｅの情報からなり、カードが製造された直後は工場出荷時キー１５（ビットが全て１）が設定されている。データ領域は例えば４８ｂｙｔｅの情報からなり、工場出荷時は全てのビットが１に設定されている。そして、カードシステムで使用するカードとして発行する際に、カードシステム毎に設定する任意のキーコードが、当該そのシステムで使用するセクタのキーコード領域に記憶される。カード利用機器やカード発行機１は、セクタに記憶されたデータの読み書きが可能であるかどうかの判断を、このキーコードで判別する。
【００２７】
図３の例では、カード情報１３の各セクタ（セクタ１〜６）のキーコード領域に、カード情報１３を利用するカードシステムに対応するキーコード１８が記憶され、カード情報１０の各セクタ（セクタ１２〜１４）のキーコード領域には、カード情報１０を利用するカードシステムに対応するキーコード２２が記憶されている。
【００２８】
カード情報１０は、使用可能な金額情報２１を少なくとも備え、必要に応じて個人情報１９や付加情報２０等を備える。図３の例では、個人情報１９，付加情報２０および金額情報２１は、それぞれセクタ１２，セクタ１３，セクタ１４に記載される。カード利用機器にてプリペイドカード２を使用する際には、各カード利用機器は、自身のカードシステムで使用する記憶領域のセクタのキーコード領域にアクセスし、そのキーコードがあらかじめ定められたキーコード２２であるかどうかを判断してそのプリペイドカード２の使用（当該セクタのデータ領域へのアクセス）を許可する。
【００２９】
カード情報１０の書き込み領域は、そのプリペイドカード２の未使用領域９が予め予測できる場合は、その未使用領域９の情報がカード発行機およびカード利用機器に記憶保持され、この未使用領域９が書き込み領域として設定される。例えば、図３の例のように、他のカードシステムのカード情報１３が使用するセクタが判明している場合は、そこから未使用領域９を予測、例えば、セクタ１２〜１４を未使用領域９と判断し、あらかじめセクタ１２〜１４を書き込み領域と定めても良い。この場合、未使用領域９の情報は、必ずしもカード発行機１やカード利用機器が有している必要はなく、未使用領域９の情報が記憶されているＵＳＢメモリなどの外部記憶装置を接続して入手したり、当該カード発行機１に接続されている管理センターのコンピュータなどから通信して得るなどしたりしてもよい。また、予め定めた書き込み領域以外に、予め複数あるいは一定範囲の領域を未使用領域として予測して、それを書き込み領域の候補として設定しておき、予め定めた書き込み領域に対して入出力できない場合に、他の設定した記憶領域が書き込み可能かどうか（未使用領域であるかどうか）を判断して、書き込み可能であればその領域に第２のカード情報を書き込んでもよい。あるいは、プリペイドカードの未使用領域９が不明の場合は、未使用領域９を後述するように検索するなどし、未使用領域９が存在した場合にはその箇所を未使用領域９と判断し、そのセクタを書き込み領域として定めても良い。
【００３０】
なお、カード発行機１がカード情報１０を追加記録するカードは、他のカードシステムに対応するプリペイドカードに限らず、社員情報が記憶された社員証や使用可能駅情報が記憶された乗車カード等でも使用可能である。この場合、社員情報や使用可能駅情報等が上述のカード情報１３に代わる。また、全く情報が記憶されていない記憶領域８を備えるカードにも用いることができる。
【００３１】
次に、図１，図３，図４を用いて、カード発行機１がプリペイドカード２にカード情報１０を記録するフローを説明する。ここでは、既にカード情報１３が入力されているプリペイドカード２に対し、カード情報１０を記録する書き込み領域があらかじめ定められている場合について説明する。また、カード発行機１は、プリペイドカード２が挿入されて使用される形態であるとする。
【００３２】
まず、カード発行機１にプリペイドカード２が挿入されると（図４のステップ１）、読取器３は、あらかじめ定められた書き込み領域のセクタが未使用であるかを確認する。そして、書き込み領域の最初のセクタに対して工場出荷時キー１５で認証する。プリペイドカード２がＩＣチップを搭載し、記憶領域へのアクセス認証やアクセス制御するものであれば、読取機３はプリペイドカード２に認証データを送信し、プリペイドカード２から認証結果を受け取る。これを書き込み領域と定めた全てのセクタに対して行ない、その認証結果を制御器６に送信する（図４のステップ２）。制御器６は読取器３からの認証情報を受信し、全てのセクタの認証が成功すれば、各セクタのデータ領域のデータを読み出すように読取器３を制御する。上記プリペイドカード２では、セクタの認証に成功すればセクタのデータ領域にアクセス可能となるため、読取器３は各セクタのデータ領域の情報を読み取り制御器６に送信する。制御器６は読取器３から各セクタのデータ領域の情報を受信し、その情報が出荷時状態であればそのセクタが未使用であると認定する（図４のステップ３）。制御器６は、ステップ２およびステップ３で書き込み領域が未使用でないと判断した場合は、エラー情報を出力する。この状態で、入力器５から、氏名や電話番号等の個人情報１９や性別などの付加情報２０等が入力され（図４のステップ４）、入力完了を示す登録ボタン等を押下する。この時、チャージする金額の現金等も入金される（図４のステップ５）。次に、制御器６は、入力された個人情報１９、付加情報２０や入金された金額に対応する金額情報２１をカード情報１０とし、これらを所定の暗号キーを用いて暗号化し（図４のステップ６）、書込器４を制御してそれぞれのセクタのデータ領域に記憶させる。さらに各セクタのキー領域に任意に定めたキーコード２２を記憶させる（図４のステップ７）。以上により複数のカードシステムで使用可能なプリペイドカード２が完成する。なお、キーコード２２は、カードシステムに固有の１種類のコードを用いても良いし、複数のコードを用いても良い。複数のコードを用いる場合は、ユーザによってコードを異ならすことができ、例えば、所属する会社や部所別に分けても良いし、各ユーザに固有のコードとしても良い。また、暗号化に用いるキーは、キーコード２２を使用しても良い。さらに、プリペイドカード２を発行した記録（カードＩＤと入力器から入力された個人情報、発行日、等）をカード発行ファイル等に記録しても良い（図４のステップ８）。また、必要に応じてカードＩＤ１４等を他のカード発行機１やカード利用機器に送信しても良い。
【００３３】
次に、入力器５の構成例を説明する。
上述のように、入力器５は、図５に示すようなタッチパネル１１でも良いし、キーボードであっても良く、図６に示すようなタッチパネル１１とキーボード１２とを混載しても良い。カード発行機１は、上述のようなプリペイドカードを発行する機能の他に、プリペイドカードの使用可能金額をチャージする機能を備えることもできる。そのため、入力器５は、図５に示すように、新規カード登録スイッチ２３とチャージスイッチ２４とを備える。新規カード登録スイッチ２３が選択されると、図６に示すような個人情報入力スイッチ２５等が表示され、個人情報入力スイッチ２５やキーボード１２等を用いて個人情報等が入力される。入力が完了すると登録スイッチ２６を選択することにより、プリペイドカードが発行される。
【００３４】
また、本実施の形態において、記憶領域の未使用領域を検索可能に構成してあってもよい。そうすれば、予め定めた書き込み領域が未使用でない場合や、他社のカードシステムのカード情報の記憶領域が不明で書き込み領域が予測できない場合（書き込み領域を予め定めない場合）にも、カードシステムのカード情報１０を書き込むことが可能となる。具体的には、プリペイドカード２において、アクセスできない領域がある場合に、アクセスできない領域以外に未使用領域９があるかどうかを検索する。例えば、予め定めた書き込み領域がセクタ１２〜１４で、セクタ１２が使用されていた場合、セクタ１３から、あるいは記憶領域８の最初のセクタから順にアクセスし、そのセクタが工場出荷時であるものを未使用のセクタと判断する。書き込み領域として複数のセクタが必要であれば、当該複数分の未使用セクタが存在することを確認し、これを書き込み領域として定める。
【００３５】
このように構成することで、例えば他社のカードシステムなど、カードシステムが異なる場合でも、プリペイドカード２に未使用領域９があれば、この未使用領域９に、キーコード２２等の自社のカードシステムのカード情報１０を書き込むことができる。
【００３６】
また、同じ会社などのカードシステムでありながら、例えば使用する工場などが異なるなどして例えばキーコード２２が異なるために使用できない場合に、プリペイドカード２の未使用領域９に、当工場で使用するキーコード２２を書き込む（登録する）ことで、当該工場でも使用可能となる。例えば、カードシステムとして予め書き込み領域が定められてあり、その書き込み領域に他の工場のキーコード２２が記憶されている場合（第１のカード情報）、当工場のキーコード２２では認証が成功しないため、同じ領域にカード情報１０を書き込むことができない。しかし、上述の未使用領域の検索機能により他の領域を検索し未使用領域９があれば、この未使用領域９に当工場で使用するカード情報１０（第２のカード情報）を書き込む。未使用領域９がなければ、カード情報１０の書込み作業を止めて、当該カードについては、使用できない旨を表示させるなどしてもよい。
【００３７】
尚、この未使用領域９の検索を行うようにする場合は、検索して新たに定めた書き込み領域のセクタ情報をカード利用機器と共有するようにすることが望ましい。例えば、発行機１は、当工場で使用するカード情報１０を書き込んだ全てのプリペイドカード２の書き込み領域を書き込み領域情報として記憶し、その書き込み領域情報をネットワーク等を介して自動販売機２７等のカード利用機器と共有する。この場合、カード利用機器は、書き込み領域情報にある記憶領域をカード情報１０の読み出し領域範囲とすることができる。そのため、全てのセクタを順にサーチする必要がなく、カード認証が素早く行え、データ処理時間を短縮することができる。
【００３８】
あるいは、発行機１は、当工場で使用するカード情報１０を書き込んだプリペイドカード２のカードＩＤと、当該カードのカード情報１０の書き込み領域を関連付けて、その情報を書き込み領域情報として記憶し、その書き込み領域情報をネットワーク等を介して自動販売機２７等のカード利用機器と共有しても良い。この場合、カード利用機器は、カードＩＤを認識したときに、書き込み領域情報から当該カードのカード情報１０の書き込み領域を取得することができるので、カード情報１０の読み出し領域を限定することができる。そのため、カード認証が素早く行え、データ処理時間を短縮することができる。
【００３９】
また、本実施の形態では、予め複数の未使用領域を書き込み領域の候補として設定してもよい。そうすれば、予め定めた書き込み領域が未使用でない場合や、他社のカードシステムのカード情報の記憶領域が不明で書き込み領域が予測できない場合（書き込み領域を予め定めない場合）にも、カードシステムのカード情報１０を書き込むことが可能となる。具体的には、予め定めた書き込み領域（予測した未使用領域）としてセクタ１２〜１４，その他の予測した未使用領域としてセクタ１４〜１６，セクタ１６〜１８といった、複数の領域を定めておく。カード発行機１は、最初にセクタ１２〜１４が全て未使用領域かを確認し、その内の１つのセクタでも使用されていれば、次の候補のセクタ１４〜１６が全て未使用領域かを確認する。その領域が全て未使用であれば、これを書き込み領域としてカード情報１０を書き込む。この場合、カード利用機器は、予め定めた予測した複数の未使用領域をカード情報１０の読み出し領域範囲とすることができる。そのため、全てのセクタを順にサーチする必要がなく、カード認証が素早く行え、データ処理時間を短縮することができる。
【００４０】
あるいは、書き込み可能であろう領域をカード情報として使用する領域以上の範囲で定めておき、これを順次アクセスしてもよい。具体的には、カード情報１０として必要なセクタ数（セクタ１２〜１４であれば３セクタ）よりも範囲の広いセクタ１２〜１６を書き込み領域の候補として設定する。カード発行機１は、セクタ１２から順次未使用領域かを確認し、カード情報１０が使用する３つの領域が未使用領域であれば、これを書き込み領域としてカード情報１０を書き込む。この場合、カード利用機器は、予め定めた未使用領域の範囲をカード情報１０の読み出し領域範囲とすることができる。そのため、全てのセクタを順にサーチする必要がなく、カード認証が素早く行え、データ処理時間を短縮することができる。
（実施の形態２）
次に、実施の形態としてカード購入システムの構成を、図１，図３，図７，図８を用いて説明する。以下、カードとしてプリペイドカード、機器として自動販売機を用いて説明する。
図７は本発明のカード購入システムの構成を例示する概略図、図８は本発明のカード購入システムにおける商品を購入する際にカードを使用するフローを説明する図である。
【００４１】
本発明のカード購入システムは、特定のカードシステムに準拠するカードを用いて、自動販売機等のカード利用機器を用いて商品の購入等を行うシステムである。本発明のカード購入システムは、実施の形態１で説明した１または複数のカード発行機１と、ユーザが個々に所有するプリペイドカード２等のカードと、このカードを使用できる１または複数の自動販売機２７等のカード利用機器とから構成される。また、カード発行機１および自動販売機２７はそれぞれデータ通信が可能なように有線または無線で接続されていても良い。また、接続はインターネットを介して行うこともでき、さらにサーバ２８を中継しても良い。これらのカード発行機１，プリペイドカード２および自動販売機２７は共通のカードシステムに準拠し、自動販売機２７はプリペイドカード２が特定のカードシステムに準拠していることを認証してそのプリペイドカード２を使用させる。カード発行機１は、実施の形態１で説明したように、プリペイドカード２を発行する機能だけを備えても良いが、使用可能な金額をチャージする機能を備えても良く、本発明のカード購入システムは機能の異なるカード発行機１から構成されても良い。自動販売機２７は、カード発行機と同様に、読取器，書込器および制御器を内蔵する。
【００４２】
プリペイドカード２の認証は、実施の形態１で示したように、自身のカードシステムのキーコード２２によって行う。
以下、本発明のカード購入システムにおいて商品を購入するフローを説明する。
【００４３】
まず、購入者は、自動販売機２７で購入する商品を選択する（図８のステップ１）。次に、自動販売機２７はプリペイドカード２が使用状態であるかどうかを判断する。プリペイドカード２が使用状態であるかどうかは、自動販売機２７のカード挿入口７にプリペイドカード２が挿入されていたり、カード読取口にプリペイドカード２がかざされていたりすることを確認することにより判断される。ここで認証されて使用可能となるプリペイドカード２は、カード発行機１で発行され、自動販売機２７と同一のカードシステムに準拠するプリペイドカードである（図８のステップ２）。プリペイドカード２が使用状態である場合、自動販売機２７の制御器は、プリペイドカード２の記憶領域８の各セクタに対してあらかじめ自動販売機２７が保持するキーコード２２で認証する。この際、記憶領域８の全てのセクタに対して順に認証しても良いが、あらかじめカード情報１０が記憶されるセクタを定めておき、そのセクタに対して認証するようにしても良い。あらかじめカード情報１０を記憶するセクタを定めておくことにより、認証する速度が向上し、さらに利便性が向上する（図８のステップ３）。認証できると、自動販売機２７の読取器は、カード情報１０が記憶されたセクタのデータ領域のデータを読み出し、復号化して金額情報２１を読み取る（図８のステップ４）。次に自動販売機２７の制御器は、選択した商品の金額を金額情報２１から差し引き、新たな金額情報２１として暗号化する（図８のステップ５）。次にプリペイドカード２は、自動販売機２７の制御器の制御された書込器により、暗号化された新たな金額情報２１が書き込まれる（図８のステップ６）。
【００４４】
このように、本発明のカード購入システムは、カード発行機１と自動販売機２７等の機器から構成され、カード発行機１は異なるカードシステムに準拠するカードの未使用領域９にカード情報１０を書き込むことができ、機器はこのカードを認証して使用し、カード情報１０を更新できる構成である。このような構成により本発明のカード購入システムは、他のカードシステムで使用されているプリペイドカード等を流用して特定のカードシステムに準拠するカードを発行し、かつ使用することができるため、１枚のカードを利便性高くしようすることができる。また、カード発行機１にユーザ自身がプリペイドカード２を入れてカード情報１０を書き込むことができる。これにより、学生カードや従業員カード、勤怠カード、入室カードなど自動販売機以外でユーザが既に利用中のプリペイドカード２に対してプリペイド機能を付加する場合や、自動販売機のプリペイドカード２であるが、他の工場等のカードシステムに対して新たにプリペイド機能を付加する場合であっても、プリペイドカード２を回収することなく、すぐに使用することができる。
【００４５】
なお、上記の実施例では、プリペイドカード２の認証は、記憶領域のセクタ毎のキーコード領域にアクセスし、そのキーコードがあらかじめ定められたキーコード２２であるかどうかを判断する場合を述べたが、これに限定されるものではなく、プリペイドカード２の記憶領域に各データ領域へのアクセス許可の記憶領域が割り当てられ、当該アクセス許可の記憶領域に特定のキーコードを用いて認証するものであってもよい。
【００４６】
また、上記の実施例では、セクタが未使用であるかの確認を、セクタに対して工場出荷時キー１５で認証する場合を述べたが、これに限定されるものではなく、例えば、プリペイドカード２が、キーコードがなくても記憶領域のデータ領域へのアクセスが可能な構成の場合であれば、データ領域のデータが工場出荷時であるかどうかを確認するものであってもよい。
【符号の説明】
【００４７】
１    カード発行機
２    プリペイドカード
３    読取記
４    書込器
５    入力器
６    制御器
７    カード挿入口
８    記憶領域
９    未使用領域
１０    カード情報
１１    タッチパネル
１２    キーボード
１３    カード情報
１４    カードＩＤ
１５    工場出荷ＩＤ
１６    金額情報
１７    個人情報
１８    キーコード
１９    個人情報
２０    付加情報
２１    金額情報
２２    キーコード
２３    新規カード登録スイッチ
２４    チャージスイッチ
２５    個人情報入力スイッチ
２６    登録スイッチ
２７    自動販売機
２８    サーバ
【図１】
2016189042.tif 000003
【図２】
2016189042.tif 000004
【図３】
2016189042.tif 000005
【図４】
2016189042.tif 000006
【図５】
2016189042.tif 000007
【図６】
2016189042.tif 000008
【図７】
2016189042.tif 000009
【図８】
2016189042.tif 000010